(57)【特許請求の範囲】
【請求項１】
前面側のパネルに警告灯が設けられた消火栓格納箱において、
上記警告灯のレンズを前面板が平面状の略筒形状レンズとすると共に、上記レンズを上記パネルの前面に設置し、
上記パネルの背面側に上記レンズを支持する断面Ｌ型アングルと、上記レンズを前後方向に案内する案内シャフトを備えた摺動案内機構を設け、
上記警告灯を、上記案内シャフトに沿ってそのレンズの前面板が上記パネルの前面と面一状態の警告灯収納位置と、上記レンズの前面板が上記パネル前面から前方側に突出した警告灯突出位置の２位置を取り得るように構成し、
かつ上記警告灯は、そのレンズの後端部に突出縁を設けて、上記警告灯突出位置において上記突出縁を上記パネル背面に当接させて抜け止め状態となるように構成すると共に、
上記アングルに後方支持縁を設け、上記警告灯の外周縁部が上記後方支持縁に当接したとき、上記レンズの前面板が上記パネルの前面と面一状態の上記警告灯収納位置となるように構成したものであることを特徴とする消火栓格納箱。
【請求項２】
上記略筒形状レンズは、略円柱形状レンズであることを特徴とする請求項１記載の消火栓格納箱。
【請求項３】
内部に消火器具を格納する格納部を有する消火栓格納箱において、
当該消火栓格納箱における前面側に位置する外周機枠部分の上辺部に長方形開口部を設けると共に該開口部に横長長方形状の警告灯を装着し、
上記警告灯のレンズの前面板を平面状に形成し、
上記上辺部の上記開口部背面に、上記レンズの抜け止めリブと、上記レンズを前後方向に案内する案内シャフトを備えた摺動案内機構を設け、
上記警告灯を、上記案内シャフトに沿ってそのレンズの前面板が上記上辺部の前面と面一状態の警告灯収納位置と、上記レンズの前面板が上記上辺部前面から前方側に突出した警告灯突出位置の２位置を取り得るように構成し、
かつ上記警告灯は、そのレンズの後端部に突出縁を設けて、上記警告灯突出位置において上記突出縁を上記上辺部背面に当接させて抜け止め状態となるように構成すると共に、
上記警告灯の外周縁部が上記抜け止めリブに当接したとき、上記レンズの前面板が上記上辺部の前面と面一状態の上記警告灯収納位置となるように構成したものであることを特徴とする消火栓格納箱。
【請求項４】
請求項３記載の消火栓格納箱において、
警告灯の装着位置を、外周機枠部分の上辺部に代えて、外周機枠部分の左側辺部又は右側辺部とし、
上記警告灯の形状を上記横長長方形状に代えて縦長長方形状としたものであることを特徴とする消火栓格納箱。
【発明の詳細な説明】
【技術分野】
【０００１】
本発明は消火栓格納箱の警告灯において、その警告灯の前面をパネル前面と面一の状態とし、良好な視認性を確保し得る警告灯を具備した消火栓格納箱に関するものである。
【背景技術】
【０００２】
従来、屋内外で用いられている消火栓格納箱の警告灯は、特許文献１に示すように、略円錐状を成し、その筐体前面から前方に向けて突出した状態で固定されている。
【０００３】
或は、デザイン性を重視したものにあっては、特許文献２に示すように、その略円錐状の警告灯を筐体前面側から突出させた状態と格納箱内部に収納した状態とをとり得るように構成し、火災時以外は、警告灯を消火栓格納箱内に収納しておくものが提案されている。
【０００４】
【特許文献１】実開平６−４８７０６号
【特許文献２】特開平７−１５５３９６号
【発明の開示】
【発明が解決しようとする課題】
【０００５】
ところで、特許文献１の消火栓格納箱の警告灯は筐体前面から相当程度突出しているので、例えば病院等において狭い廊下の壁に設置した場合は、各種医療機器の運搬時等に警告灯に衝突して警告灯を破損することが多いし、逆に医療機器が損傷を受けることもあった。また、体育館等に設置した場合においても、ボール等の衝突により警告灯が破損することがあった。
【０００６】
また、特許文献２の消火栓格納箱では、通常時は警告灯を収納しておくことで、上記警告灯の破損等の防止はできるが、警告灯の収納時は警告灯としての機能を果たし得ないので、緊急時において警告を行うことができないという課題がある。
【０００７】
本発明は、上記従来の装置に鑑みてなされたものであり、警告灯の破損等を防止しつつ、視認性を損なわない警告灯を備えた消火栓格納箱を提供することを目的とする。
【課題を解決するための手段】
【０００８】
上記の目的を達成するため本発明は、
第１に、前面側のパネルに警告灯が設けられた消火栓格納箱において、上記警告灯のレンズを前面板が平面状の略筒形状レンズとすると共に、上記レンズを、その前面板が上記パネルの前面と面一となるように当該パネルに設置したものであることを特徴とする消火栓格納箱により構成される。
【０００９】
第２に、上記略筒形状レンズは、略円柱形状レンズであることを特徴とする上記第１記載の消火栓格納箱により構成される。
【００１０】
このように構成すると、警告灯が消火栓格納箱前面と面一となって突出しないので、警告灯としての視認性を確保しながら、警告灯の破損、他の機器との衝突等の事故を防止することができる。
【００１１】
第３に、上記パネルの背後に上記レンズを前後方向に摺動案内する摺動案内機構を設け、上記警告灯を、そのレンズの前面板が上記パネルの前面と面一状態の警告灯収納位置と、上記レンズの前面板が上記パネル前面から前方側に突出した警告灯突出位置の２位置を取り得るように構成したものであることを特徴とする上記第１又は２記載の消火栓格納箱により構成される。
【００１２】
このように構成すると、消火栓格納箱の設置場所の各種状況に応じて、警告灯を収納位置にするか突出位置にするかを選択することができ、より適切な状態で消火栓格納箱を設置することができる。
【００１３】
第４に、内部に消火器具を格納する格納部を有する消火栓格納箱において、当該消火栓格納箱における前面側に位置する外周機枠部分に警告灯を設け、上記警告灯のレンズの前面板を平面状に形成し、かつ上記レンズの前面板が上記外周機枠部分の前面と面一となるように構成したものであることを特徴とする消火栓格納箱により構成される。
【００１４】
第５に、上記警告灯のレンズは横長長方形状又は縦長長方形状であることを特徴とする上記第４記載の消火栓格納箱により構成される。
【００１５】
このように構成すると消火栓格納箱の外周機枠部分に警告灯を一体に設けることができ、現場における消火栓格納箱の設置作業を効率化することができる。
【００１６】
第６に、上記外周機枠部分の背後に上記レンズを前後方向に摺動案内する摺動案内機構を設け、上記警告灯を、そのレンズの前面板が上記外周機枠部分の前面と面一状態の警告灯収納位置と、上記レンズの前面板が上記外周機枠部分の前面から前方側に突出した警告灯突出位置の２位置を取り得るように構成したものであることを特徴とする上記第４又は５記載の消火栓格納箱により構成される。
【００１７】
このように構成すると、消火栓格納箱の設置場所の各種状況に応じて、警告灯を収納位置にするか突出位置にするかを選択することができ、より適切な状態で消火栓格納箱を設置することができる。
【００１８】
第７に、上記摺動案内機構は、上記消火栓格納箱内に上記レンズの摺動方向に沿う案内シャフトを設置し、上記レンズが上記案内シャフトに沿って前後方向に摺動し得るように構成したものであることを特徴とする上記第３又は６記載の消火栓格納箱により構成される。
【００１９】
尚、上記第１乃至第７の発明において、「面一」とは、レンズの前面板がパネルの前面、或いは外周機枠部分の前面と段差のない状態となる場合と、多少の段差があるが略面一の状態とが含まれるものとする。また、「平面状」とは警告灯のレンズの前面板が平面である場合と共に、図６に示すようにアーチ状ではあるが略平面である場合も含まれるものとする。
【発明の効果】
【００２０】
本発明は上述のように構成したので、警告灯のレンズの前面板を平面状とし、かつ消火栓格納箱の前面と面一としたので、警告灯の視認性を確保しながら警告灯の破損や他の機器の損傷等を効果的に防止することができる。
【００２１】
また、狭い廊下や体育館のような場所においても、支障なく設置することができる消火栓格納箱を実現し得る。
【００２２】
また、警告灯を収納位置と突出位置に摺動可能としたので、設置位置の状況に応じて警告灯の視認性を確保しつつ、最適な状態で設置することができる消火栓格納箱を実現し得る。
突出状態は勿論、収納状態においても、上記警告灯レンズの前面板とパネルの前面及び開閉扉の前面が面一なので、消防法の規定によっても十分に警告灯の識別が可能となる。
警告灯レンズを消火栓収納箱の外周機枠に一体的に設置することができるので、従来のように、設置現場において、消火栓収納箱の外周機枠とは別にパネルの警告灯のみの組み付け作業を行う必要がなく、消火栓収納箱の設置作業を効率化することができる。
【発明を実施するための最良の形態】
【００２３】
以下、添付図面に基づいて本発明の一実施形態を詳細に説明する。
【００２４】
図１は、本発明に係る消火栓格納箱１の一実施形態を示す正面図であり、当該消火栓格納箱１は、警報ベル等の機器類が設置される上段格納部（格納部）３と、消火栓、消火用ホース等が格納される下段格納部（格納部）４とを有する外周機枠部分（フレーム）２によって構成されており、上段格納部３を閉鎖する前面側のパネル５の前面５ａには上記上段格納部３内に設けられた警報ベルからの警報音を放出するための放音用穴部６と、本発明に係る警告灯レンズ（警告灯のレンズ）７を使用する警告灯７’と、警報音を発するための非常用スイッチ８とが横一列に取り付けられている。
【００２５】
上記下段格納部４には開閉扉９が開閉自在に設けられており、この下段格納部４内には上述のように消火栓と消火栓ホース等の消火器具類が格納されている。尚、９ａは開閉扉９の取手である。
【００２６】
上記警告灯７’の警告灯レンズ７は、全体として後面開放の略筒形状レンズ（本実施形態の場合は略円柱形状レンズ）に構成され（図３参照）、その前面板７ａは平面状に形成されており、その後端部は後方に向けて開放され、開放端部の周縁には水平方向の突出縁７ｂが全周に亙り設けられている。また、この警告灯レンズ７は赤色の透明又は半透明の樹脂成型によって構成されている。さらに、上記警告灯レンズ７の後端開放部は、複数のＬＥＤ１０が設置された基板１１によって閉鎖されている（図２（ａ）（ｂ））。
【００２７】
上記上段格納部３のパネル５には、上記警告灯レンズ７の外周より若干大きい円形開口部５ｂが貫通形成されている。
【００２８】
さらに上記パネル５の上記開口部５ｂの背面側周囲には、上記警告灯レンズ７を支持するための断面Ｌ型アングル１２がその固定部１２ａを以って固着されており、上記警告灯レンズ７は上記開口部５ｂと上記アングル１２における上記警告灯レンズ７の抜け止め用の後方支持縁１２ｂとの間に、上記前面板７ａを前方に向けた状態で装着されている。尚、上記後方支持縁１２ｂは上記固定部１２ａに対して後方向けて直角に設けられた前後方向側部の後端から対向方向に直角に折曲形成されている。
【００２９】
さらに、上記Ｌ型アングル１２の上記後方支持縁１２ｂ、上記基板１１の外周縁部１１ａ及び上記突出縁７ｂには上記警告灯レンズ７の周方向に沿う同一位置に所定間隔で貫通穴Ｐが設けられており、上記警告灯レンズ７の上記装着状態で、上記後方支持縁１２ｂの背面側から上記後方支持縁１２ｂ、外周縁部１１ａ、突出縁７ｂの各貫通穴Ｐに、上記レンズ７の摺動方向に沿う案内シャフト１３を挿入し、当該シャフト１３を上記基板１１外周縁部１１ａ及び上記突出縁７ｂの貫通穴Ｐを通してそのシャフト１３の先端部を上記閉鎖パネル５の背面に当接させた状態で固定する。
【００３０】
そして、上記警告灯レンズ７は上記基板１１と共に、上記貫通穴Ｐを介して上記案内シャフト１３に沿って上記図２（ａ）の警告灯収納位置と、上記図２（ｂ）の警告灯突出位置との間を前後方向に摺動可能に構成されている。図２（ａ）の警告灯収納位置においては、上記警告灯レンズ７の上記基板１１の外周縁部１１ａが上記後方支持縁１２ｂに当接し、このとき上記警告灯レンズ７の前面板７ａの位置は、上記閉鎖パネル５の前面５ａ及び開閉扉９の前面（消火栓格納箱の前面）と面一（段差のない状態）となるように構成されている。
【００３１】
また、図２（ｂ）の警告灯突出位置では、上記突出縁７ｂの前面側が上記開口部５ｂ周縁の上記閉鎖パネル５背面に当接する位置まで前方に摺動し、上記警告灯レンズ７の円柱部７ｃの大半は上記開口部５ｂから突出した状態となる。この位置では、上記突出縁７ｂが開口部５ｂ周縁のパネル背面に当接することで、警告灯レンズ７の抜け止めがなされるように構成している。尚、上記パネル５の背後に設けられた上記案内シャフト１３、上記断面Ｌ型アングル１２、外周縁部１１ａ、突出部７ｂ等により摺動案内機構が構成されている。
【００３２】
この警告灯レンズ７は、上記パネル５を外周機枠２から取り外し、該パネル５の背面側から上記警告灯レンズ７の基板１１を前方に押すことによって案内シャフト１３に沿ってスライドさせて図２（ｂ）のように前方に突出させることができ（図２（ｂ）の状態）、かかる突出状態において、前面側から上記警告灯レンズ７の前面板７ａを後方に向けて押すことにより、案内シャフト１３に沿ってスライドさせて図２（ａ）のように上記閉鎖パネル３内に収納することができる（図２（ａ）の状態）。
【００３３】
上記警告灯レンズ７の収納状態（図２（ａ））から上記突出状態（図２（ｂ））への移動は、上記警告灯レンズ７をバネ等により常時前方に向けて附勢しておき、かつ収納状態にロックしておくことで、当該ロックを解除して、収納状態から突出状態への移動をワンタッチで行うように構成することもできる。
【００３４】
消防法によれば、警告灯は、取り付け面と１５度以上の角度をなす方向から１０ｍ離れた位置からでも容易に識別できるものではなければならないとされているが、本発明に係る警告灯によると、図２（ｂ）に示す突出状態は勿論、図２（ａ）に示す収納状態においても、上記警告灯レンズ７の前面板７ａとパネル５の前面５ａ及び開閉扉９の前面が面一なので、上記消防法の規定によっても十分に警告灯の識別が可能となる（図２（ａ）参照）。
【００３５】
本発明は上述のように構成されるものであるから、警告灯レンズ７を収納状態とする場合は、図２（ａ）に示すように、警告灯レンズ７をパネル５の開口部５ｂ背面（断面Ｌ型アングル１２の内部）に収納して、当該警告灯レンズ７の前面板７ａと上記閉鎖パネル５の前面５ａとを面一状態とすればよい。
【００３６】
かかる状態においては、警告灯レンズ７が消火栓収納箱１の前面側から突出していないため、病院の廊下の壁面等の狭い場所において当該消火栓収納箱１を設置しても、警告灯レンズ７の損傷、或は運搬する医療機器等の損傷を防止することができる。また、体育館等に設置しても、警告灯レンズ７が突出していないので、ボール等が当接しても警告灯レンズ７が容易に損傷を受けることもない。
【００３７】
また、上記警告灯レンズ７は上記収納状態においても、その平面状の前面板７ａが消火栓格納箱１の前面（パネル５の前面５ａ）と面一状態となっているので、消防法に定める識別条件（取り付け面と１５度以上の角度をなす方向から１０ｍ離れた位置からでも容易に識別できるものではなければならない）を満たすことができ、収納時においても警告灯としての機能を何ら損なうこともなく、消火栓格納箱としての安全性を損なうこともない。
【００３８】
一方、警告灯レンズ７を突出させる場合は、パネル５を外し、警告灯レンズ７の突出縁７ｂが上記開口部５ｂ周縁の閉鎖パネル５背面に当接するまで当該警告灯レンズ７を前方側に押し、その後パネル５を外周機枠２に取り付ければよい。そうすると、警告灯レンズ７はその円柱部７ｃの大半が前方側に突出するため、より視認性を高めることができる（図２（ｂ））。
【００３９】
また、上記収納位置（図２（ａ））と上記突出位置（図２（ｂ））との別は、例えば地下鉄等のホームへの設置を検討した場合、電車の運転士が上記警告灯レンズ７を運行信号と間違えないような設置位置であれば、警告灯レンズ７を突出させた視認性の高い状態で消火栓格納箱を設置し、上記運転士が警告灯レンズ７を運行信号と見間違える可能性のある設置位置であれば、警告灯レンズ７を収納した状態で消火栓格納箱を設置すること等が考えられる。このように、地下鉄ホーム等において、運行信号と消火栓警告灯の相違を明確化した状態で消火栓格納箱を設置することができ、消火栓格納箱１の設置場所の状況に応じた最適の状態で設置することができる。
【００４０】
勿論、狭い廊下或はボール等の衝突の可能性がある体育館等に設置する場合は、警告灯レンズ７を収納状態（図２（ａ））で設置することが好ましい。
【００４１】
以上、警告灯レンズ７を出没可能に設けた実施形態を説明したが、本件発明はこれに限らず、警告灯レンズ７を収納状態（図２（ａ））で固定としても良いし、警告灯レンズ７を突出状態（図２（ｂ））で固定としても良く、この場合は、設置場所に応じて、警告灯レンズ７が収納状態の消火栓格納箱か、警告灯レンズ７が突出状態の消火栓格納箱を選択すればよい。
【００４２】
また、本実施形態では警告灯レンズ７は円柱形状としたが、正面視において正方形、長方形等の直方体形状レンズ（略筒形状レンズ）等であっても良い。
【００４３】
図４（ａ）乃至（ｃ）に示すものは、本発明の他の実施形態であり、同図（ａ）は消火栓格納箱１の前面側に位置する上記外周機枠（フレーム）２の上辺部２ａ部分に前面が横細長長方形状（横長長方形状）の後面開放直方体形状の警告灯レンズ（警告灯のレンズ）１４を設けたもの、同図（ｂ）は上記前面側に位置する外周機枠（フレーム）２の上部の左側辺部２ｂの部分に前面が縦細長長方形状（縦長長方形状）の後面開放直方体形状の警告灯レンズ（レンズ）１５を設けたもの、同図（ｃ）は上記前面側に位置する外周機枠（フレーム）２の上部の右側辺部２ｃの部分に前面が縦細長長方形状（縦長長方形状）の後面開放直方体形状の警告灯レンズ（レンズ）１６を設けたものである。尚、図４において図１と同一部分については同一符号を付している。
【００４４】
この警告灯レンズ１４は、上記外周機枠２の上辺２ａにおいて、図５（ａ）の警告灯収納状態と、図５（ｂ）の警告灯突出状態との間を摺動可能に設けられている。その摺動の構造は図２（ａ）（ｂ）と同様である。
【００４５】
即ち、上記警告灯レンズ１４は、全体として後面開放の横長直方体形状に構成され、その前面板１４ａは平面状に形成されており、その後端部は後方に向けて開放され、開放端部の周縁には水平方向の突出縁１４ｂが全周に亙り設けられている。また、この警告灯レンズ１４は赤色の透明又は半透明の樹脂成型によって構成されている。さらに、上記警告灯レンズ１４の後端開放部は、複数のＬＥＤ１０が設置された基板１７によって閉鎖されている（図５参照）。
【００４６】
上記外周機枠２の上辺部２ａには、上記警告灯レンズ１４の外周より若干大きい長方形開口部２ａ’が貫通形成されている。さらに上辺部２ａの上記開口部２ａ’の背面には、上記警告灯レンズ１４の後端の抜け止めリブ１９が上記フレーム２内面から対向方向に突設されており、上記警告灯レンズ１４は上記開口部２ａ’と上記抜け止めリブ１９との間に、上記前面板１４ａを前方に向けた状態で装着されている。
【００４７】
さらに、上記抜け止めリブ１９、上記基板１７の外周縁部１７ａ及び上記突出縁１４ｂには所定間隔で貫通穴Ｐが設けられており、上記警告灯レンズ１４の上記装着状態で、上記抜け止めリブ１９の背面側から上記各貫通穴Ｐに、上記レンズの摺動方向に沿う案内シャフト１８を挿入し、当該シャフト１８を上記基板１７外周縁部１７ａ及び上記突出部１４ｂの貫通穴Ｐを通してその先端部を上記外周機枠２上辺部２ａの開口部２ａ’背面側に当接させた状態で固定する。
【００４８】
これにより上記警告灯レンズ１４は基板１７と共に、上記貫通穴Ｐを介して上記案内シャフト１８に沿って上記図５（ａ）の収納位置と、上記図５（ｂ）の突出位置との間を前後方向に摺動可能に構成されている。図５（ａ）の警告灯収納位置においては、上記警告灯レンズ１４の上記基板１７の外周縁部１７ａが上記抜け止めリブ１９に当接し、このとき上記警告灯レンズ１４の前面板１４ａの位置は、上記上辺部２及び上記パネル５の前面５ａと面一（段差のない状態）となるように構成されている。尚、上記案内シャフト１８、抜け止めリブ１９、外周縁部１７ａ、突出縁１４ｂ等により摺動案内機構が設けられている。
【００４９】
また、図５（ｂ）の突出位置では、上記突出縁１４ｂの前面側が上記開口部２ａ’周縁の上記上辺部２ａ背面に当接する位置まで前方に摺動し、上記警告灯レンズ１４の側面の大半は上記開口部２ａ’から突出した状態となる。この位置では、上記突出縁１４ｂが開口部２ａ’周縁の上辺部２ａ背面に当接することで、警告灯レンズ１４の抜け止めがなされるように構成している。
【００５０】
この警告灯レンズ１４は、上記パネル５を外周機枠２から取り外し、該パネル５の背面側から上記警告灯レンズ１４の基板１７を前方に押すことによって図５（ｂ）のように前方に突出させることができ（図５（ｂ）の状態）、かかる突出状態において、前面側から上記警告灯レンズ１４の前面板１４ａを後方に向けて押すことにより、図５（ａ）のように上記閉鎖パネル３内に収納することができる（図５（ａ）の状態）。
【００５１】
上記警告灯レンズ１４の警告灯収納状態（図５（ａ））から上記警告灯突出状態（図５（ｂ））への移動は、図２の実施形態同様に、上記警告灯レンズ１４をバネ等により常時前方に向けて附勢しておき、かつ収納状態にロックしておくことで、当該ロックを解除してワンタッチで突出させるように構成することもできる。
【００５２】
この実施形態においても、警告灯の取り付け面と１５度以上の角度をなす方向から１０ｍ離れた位置からでも容易に識別でき、消防法の基準を満たすことができる（図５（ａ）参照）。本発明に係る警告灯によると、図５（ｂ）に示す突出状態は勿論、図５（ａ）に示す収納状態においても、上記警告灯レンズ１４の前面板１４ａとフレーム２上辺部２ａ及び閉鎖パネル５の前面５ａが面一なので、上記消防法の規定によっても十分に識別が可能となる（図５（ａ）参照）。
【００５３】
上記図４（ｂ），（ｃ）の実施形態における警告灯レンズ（警告灯のレンズ）１５，１６の構成も上記図４（ａ）と同様の構造であり、図５（ａ）の収納位置と図５（ｂ）の突出位置との間で摺動可能に構成されている。
【００５４】
上記図４の実施形態においても、上記図１の実施形態と同様の作用効果を奏すると共に、警告灯レンズ１４，１５，１６を消火栓収納箱１の外周機枠２に一体的に設置することができるので、従来のように、設置現場において、消火栓格納箱の外周機枠とは別にパネルの警告灯のみの組み付け作業を行う必要がなく、消火栓格納箱の設置作業を効率化することができる。
【００５５】
尚、上記実施形態において警告灯レンズは前面が細長直方体形状のものを示したが、これに限らず、例えば前面が正方形状又は円形状のレンズを複数個、横或は縦に並列状態で設置しても良い。
【００５６】
図６に示すものは、本発明における他の実施形態であり、警告灯レンズ（警告灯のレンズ）２０の前面板２０ａを緩やかなアーチ状（略平面）に形成したものである。尚同図において、図２と同一部分については同一符号を付してその説明を省略する。この警告灯レンズ２０は、消火栓格納箱１の前面のパネル５から上記アーチ状の前面板２０ａが多少突出する形となるが、上記パネル５と面一（略面一）に構成されている。このように構成すると、側面方向からの警告灯の視認性をより高くすることができる。
【００５７】
尚、本発明において、「面一」とはレンズの面がパネル５の前面、或いは外周機枠部分２の前面と段差のない状態となる場合と、例えば図６に示すように、警告灯レンズ２０の前面板２０ａが緩やかなアーチ状で多少の段差があるが略面一の状態、或いはレンズが平面ではあるが、レンズ面がパネル５或いは外周機枠部分２の前面から多少突出して多少の段差があるが略面一の場合とが含まれるものとする。また、「平面状」とは警告灯のレンズの前面板が平面である場合と共に、図６に示すように例えば緩やかなアーチ状ではあるが略平面の場合も含まれるものとする。
【００５８】
以上、警告灯レンズ１４，１５，１６，２０を出没可能に設けた実施形態を説明したが、本件発明はこれに限らず、警告灯レンズ１４，１５，１６，２０を収納状態（図５（ａ））で固定としても良いし、警告灯レンズ１４，１５，１６，２０を突出状態（図５（ｂ））で固定としても良く、この場合は、設置場所に応じて、警告灯レンズ１４，１５，１６が収納状態の消火栓格納箱か、警告灯レンズ１４，１５，１６，２０が突出状態の消火栓格納箱を選択すればよい。
【００５９】
また、上記実施形態では、収納位置（図２（ａ）、図５（ａ）、図６）と突出位置（図２（ｂ）、図５（ｂ））の二位置間を出没可能の場合を説明したが、上記二位置の間の任意の位置で固定できるように構成しても良い。即ち、上記消火栓収納箱１の設置位置に応じて、二位置間の最適の位置にて固定できるように構成することで、最適の突出量にて警告灯レンズを固定することができる。尚、レンズの固定は、例えば貫通孔Ｐに雌螺子を設け、案内シャフト１３を雄螺子とすることで両者の螺合関係により案内シャフト１３の回転により警告灯レンズを出没可能とすることが考えられる。
【００６０】
以上のように、本発明によれば、警告灯レンズの前面板を平面状とし、かつ消火栓格納箱の前面と面一としたので、警告灯の視認性を確保しながら警告灯に運搬機器が衝突することによる警告灯の破損や、他の機器の損傷等を効果的に防止することができる。
【００６１】
また、警告灯を収納状態としてその前面板を消火栓格納箱の前面と面一とすることができるので、狭い廊下や体育館のような場所においても、警告灯の破損を防止し得て、何ら支障なく設置することができる。
【００６２】
また、警告灯を収納位置と突出位置に摺動可能としたので、設置位置の状況に応じて警告灯の視認性を確保しつつ、警告灯の最適な状態で消火栓格納箱を設置することができるものである。
【産業上の利用可能性】
【００６３】
本発明によると、病院、学校等の棟内、体育館等の運動施設内、地下鉄ホーム等、あらゆる場所に好適に設置し得る消火栓格納箱を実現し得る。
【図面の簡単な説明】
【００６４】
【図１】本発明に係る消火栓格納箱の正面図である。
【図２】（ａ）は図１のＡ−Ａ線断面図であり、警告灯レンズの収納状態を示す図、（ｂ）は図１のＡ−Ａ線断面図であり、警告灯レンズの突出状態を示す図である。
【図３】警告灯レンズの斜視図である。
【図４】（ａ）乃至（ｃ）は消火栓格納箱の他の実施形態の正面図である。
【図５】（ａ）は図４（ａ）のＢ−Ｂ線断面図であり、警告灯レンズの収納状態を示す図、（ｂ）は同上断面図における警告灯レンズの突出状態を示す図である。
【図６】警告灯レンズの他の実施形態を示す消火栓格納箱の縦断面図である。
【符号の説明】
【００６５】
１                          消火栓格納箱
２                          外周機枠
２ａ                        上辺部
２ｂ                        左側辺部
２ｃ                        右側辺部
３                          上側格納部
４                          下側格納部
５                          パネル
５ａ                        前面
７，１４，１５，１６，２０  警告灯レンズ
７’                        警告灯
７ａ，１４ａ                前面板
７ｂ                        突出縁
１１ａ                      外周縁部
１２                        断面Ｌ型アングル
１２ｂ                      後方支持縁
１３，１８                  案内シャフト
１９                        抜け止めリブ
Ｐ                          貫通穴
【要約】
【課題】  警告灯の破損等を防止しつつ視認性を損なわない警告灯を備えた消火栓格納箱を提供すること。
【解決手段】  前面側のパネルに警告灯が設けられた消火栓格納箱において、上記警告灯のレンズを前面板が平面状の略筒形状レンズとすると共に、上記レンズを、その前面板が上記パネルの前面と面一となるように当該パネルに設置する。また、内部に消火器具を格納する格納部を有する消火栓格納箱において、当該消火栓格納箱における前面側に位置する外周機枠部分に警告灯を設け、上記警告灯のレンズの前面板を平面状に形成し、かつ上記レンズの前面板が上記外周機枠部分の前面と面一となるように構成する。
【選択図】  図２【図１】
0004113249.tif 000002
【図２】
0004113249.tif 000003
【図３】
0004113249.tif 000004
【図４】
0004113249.tif 000005
【図５】
0004113249.tif 000006
【図６】
0004113249.tif 000007